(57)【要約】【課題】組立時や組立後の光学フィルタの破損を防止することができる光学フィルタの固定部材を提供する。【解決手段】光学フィルタを通過する被写体像を撮像素子の撮像面に到達させる開口部と、開口部の周囲に形成され、光学フィルタをレンズホルダに押し当てる弾性力を生じる複数の突起とを備えた。【選択図】図３
2016144075.tif 000002
【特許請求の範囲】
【請求項１】
カメラユニットのレンズホルダに光学フィルタを固定する固定部材であって、
前記光学フィルタを通過する被写体像を撮像素子の撮像面に到達させる開口部と、
前記開口部の周囲に形成され、前記光学フィルタを前記レンズホルダに押し当てる弾性力を生じる複数の突起とを備えた光学フィルタの固定部材。
【請求項２】
前記突起は、前記光学フィルタと接する側の面に形成される
ことを特徴とする請求項１記載の光学フィルタの固定部材。
【請求項３】
前記突起は、前記撮像素子と接する側の面に形成される
ことを特徴とする請求項１または請求項２記載の光学フィルタの固定部材。
【請求項４】
前記突起の形状は、円柱である
ことを特徴とする請求項１から請求項３のうちのいずれか１項記載の固定部材。
【請求項５】
前記突起は、前記突起を貫通する穴を有する
ことを特徴とする請求項１から請求項３のうちのいずれか１項記載の固定部材。
【請求項６】
前記突起の先端には、有底の穴を有する
ことを特徴とする請求項１から請求項３のうちのいずれか１項記載の固定部材。
【請求項７】
カメラユニットのレンズホルダに挿入される光学フィルタと、撮像素子と、前記光学フィルタと前記撮像素子との間に挿入され前記光学フィルタを固定する固定部材とを備える光学フィルタの固定構造であって、
前記固定部材は、
前記光学フィルタを通過する被写体像を前記撮像素子の撮影面に到達させる開口部と、
前記開口部の周囲に形成され、前記光学フィルタを前記レンズホルダに押し当てる弾性力を生じる複数の突起とを備える
ことを特徴とする光学フィルタの固定構造。
【請求項８】
請求項７記載の光学フィルタの固定構造を備えたカメラユニットであって、
前記固定部材の、前記光学フィルタと接する部分に前記突起が形成され、
前記カメラユニットのレンズホルダの、前記固定部材の突起が前記光学フィルタを前記レンズホルダに押し当てる位置と前記光学フィルタを挟んで向かい合う位置に、前記固定部材の突起と同数の突起を形成した
ことを特徴とするカメラユニット。
【発明の詳細な説明】
【技術分野】
【０００１】
この発明は、デジタルカメラ、ビデオカメラ、監視カメラ等に内蔵されるＣＣＤ、ＣＭＯＳ等の撮像素子とレンズを備えたカメラユニットにおいて、撮像素子とレンズとの間に配置される、光学フィルタの固定部材および光学フィルタの固定構造に関するものである。
【背景技術】
【０００２】
撮像素子を持つカメラユニットに光学フィルタを組込む場合、例えば、光学フィルタを撮像素子の撮像面にあるカバーガラス上に接着剤等で固定する方法が考えられる。
また、例えば、光学フィルタを所定の枠内に嵌め込んで、ピン等で抜止めをする方法が考えられる。
しかしながら、接着剤等で固定する方法では、接着剤で固定する専用の設備が必要となり、当該設備なしでは安定してカメラユニットを製造するのが難しい。
また、ピン等で抜止めをする方法では、光学フィルタと枠との間に隙間が生じてしまい、光学フィルタが枠内で移動してしまう。
【０００３】
そこで、別の方法として、光学フィルタを所定のホルダ内に収納すると共に、当該ホルダとは別部材であるゴム板等の弾性部材で光学フィルタを押し込むようにして、光学フィルタの固定を行う方法が考えられる。
しかしながら、弾性部材全体で光学フィルタを押し込むようにするのでは、光学フィルタにかかる力が大きくなりすぎてしまうという問題がある。
【０００４】
弾性部材全体で押圧せず、光学フィルタを固定する方法としては、例えば、特許文献１には、光学フィルタとＣＣＤデバイスとの間への異物の侵入を阻止するために設けられた、弾性部材の開口部の周囲に沿って形成されたリブ上の突起によって、光学フィルタを押圧し、光学フィルタを固定させる方法が開示されている。
【先行技術文献】
【特許文献】
【０００５】
【特許文献１】特開２００８−１３１３９７号公報
【発明の概要】
【発明が解決しようとする課題】
【０００６】
しかしながら、特許文献１に開示されている技術では、弾性部材全体で光学フィルタを押圧するものではないものの、リブ上の突起は異物の浸入を阻止するためのものでもあるため、開口部の周囲に形成される必要があり、依然として弾性部材が光学フィルタを押さえる面積が大きく、光学フィルタにかかる力も大きくなりすぎてしまい、光学フィルタが破損してしまう可能性があるという課題があった。
また、光学フィルタを押圧する力を小さくするために接触面積を小さくしようとすると、突起の押さえ面を細くすることとなり、押圧時に押さえ面の倒れが発生し、光学フィルタを倒れ方向に変形させてしまい、光学フィルタが破損してしまう可能性があるという課題があった。
【０００７】
この発明は上記のような課題を解決するためになされたもので、組立時や組立後の光学フィルタの破損を防止することができる光学フィルタの固定部材、光学フィルタの固定構造およびカメラユニットを提供することを目的とする。
【課題を解決するための手段】
【０００８】
この発明に係る光学フィルタの固定部材は、カメラユニットのレンズホルダに光学フィルタを固定する固定部材であって、光学フィルタを通過する被写体像を撮像素子の撮像面に到達させる開口部と、開口部の周囲に形成され、光学フィルタをレンズホルダに押し当てる弾性力を生じる複数の突起とを備えたものである。
【発明の効果】
【０００９】
この発明によれば、組立時や組立後の光学フィルタの破損を防止することができる。
【図面の簡単な説明】
【００１０】
【図１】この発明の実施の形態１に係る光学フィルタの固定部材を備えたカメラユニットの斜視図である。
【図２】この発明の実施の形態１に係る光学フィルタの固定部材による光学フィルタの固定構造を示す分解図である。
【図３】この発明の実施の形態１に係る光学フィルタの固定部材の形状の一例を説明する図である。
【図４】実施の形態１において、固定部材に形成される突起を、円錐形状の突起とした図である。
【図５】実施の形態１において、光学フィルタを組み付けた状態のカメラユニットの断面図である。
【図６】実施の形態１において、光学フィルタが固定された際の、固定部材に設けられた突起の位置関係を説明する図である。
【図７】実施の形態１において、全体が圧縮されるように形成された固定部材の一例を示す図である。
【図８】この発明の実施の形態２に係る光学フィルタの固定部材の形状の一例を説明する図である。
【図９】実施の形態２において、光学フィルタを組み付けた状態のカメラユニットの断面図である。
【図１０】この発明の実施の形態３に係る光学フィルタの固定部材の形状の一例を説明する図である。
【図１１】この発明の実施の形態４に係る光学フィルタの固定部材の形状の一例を説明する図である。
【図１２】この発明の実施の形態５のレンズホルダの構成を説明する図である。
【図１３】実施の形態５において、光学フィルタを組み付けた状態のカメラユニット１の断面図である。
【発明を実施するための形態】
【００１１】
以下、この発明の実施の形態について、図面を参照しながら詳細に説明する。
実施の形態１．
図１は、この発明の実施の形態１に係る光学フィルタ４の固定部材５を備えたカメラユニット１の斜視図である。
図２は、この発明の実施の形態１に係る光学フィルタ４の固定部材５による光学フィルタ４の固定構造を示す分解図である。
なお、ここでは、デジタルカメラ、ビデオカメラ、監視カメラ等に内蔵されるＣＣＤ、ＣＭＯＳ等の撮像素子とレンズを備えたカメラユニット１に、実施の形態１に係る光学フィルタ４の固定部材５が備えられるものとして以下説明する。
【００１２】
カメラユニット１は、図１，図２に示すように、レンズユニット２、レンズホルダ３、光学フィルタ４、固定部材５、撮像素子６、基板７、螺子８ａ，８ｂを備える。
レンズホルダ３には、レンズユニット２を取り付けるための円筒突起形状のレンズ固定部３ｂが形成され（図２（ｂ）参照）、レンズホルダ３を挟んでレンズ固定部３ｂの反対側に、光学フィルタ４と撮像素子６を挿入するための長方形状で凹み状の挿入部３ａが形成されている（図２（ａ）参照）。
【００１３】
レンズ固定部３ｂと挿入部３ａとは、レンズユニット２から入射した光を撮像素子６に撮像させるための撮像用穴３ｃで繋がっている（図２（ａ）参照）。
また、挿入部３ａの周囲の、螺子８ａ，８ｂに対応する位置には、撮像素子６を実装した基板７を取り付けるための螺子穴３ｉ，３ｉが設けられている（図２（ａ）参照）。
【００１４】
固定部材５は、ゴムなどの弾性を持った材質で、圧縮した際に適度な反発力を有し、塑性変形しない材料で作成されている。
図３は、この発明の実施の形態１に係る光学フィルタ４の固定部材５の形状の一例を説明する図である。
図３（ａ）は固定部材５の斜視図であり、図３（ｂ）は固定部材５の正面図であり、図３（ｃ）は固定部材５の側面図である。なお、図３（ａ），（ｃ）においてＸで示す方向が正面、すなわち、レンズユニット２の方向である。
【００１５】
固定部材５には、光学フィルタ４を通過する被写体像を撮像素子の撮像面に到達させる開口部５ｑが設けられ、当該開口部５ｑの周辺部に、突起５ａ〜５ｈが形成される。
突起５ａ〜５ｈは、固定部材５の表面および裏面、すなわち、光学フィルタ４と接する側の面および撮像素子６と接する側の面の両方に形成されており、ここでは、図３に示すように計８箇所形成されるものとする。
また、固定部材５の表面と裏面の突起５ａ〜５ｈは、土台５ｚを挟んで重なり合う位置に、同数形成される。
【００１６】
なお、突起５ａ〜５ｈは、図３では、円柱状としているが、これに限らず、例えば、長方形、正方形、半球状等、どのような形状であってもよい。ただし、細長い形状や、背が高すぎる形状では、光学フィルタを固定する際に圧縮されると横に倒れる可能性があるので、接触面に均一に加圧できるよう円柱に近く、適度な高さを持つ形状が望ましい。ここで、長方形、正方形とは、突起５ａ〜５ｈを上から見たときに長方形、正方形の形をしていることをいう。
【００１７】
また、例えば、固定部材５に形成される突起を、図４に示すように、円錐形状の突起５ｒ〜５ｙとすれば、圧縮時の反発力の方向が面に垂直になりやすく、横方向への倒れが抑制されるため、より望ましい。横方向へ倒れにくい形状にすることで、安定して光学フィルタ４に力を加えることができる。
【００１８】
なお、ここでは、図３に示すように、突起５ａ〜５ｈの個数は、固定部材５の表面および裏面にそれぞれ４個ずつの計８個としたが、これに限らず、表面および裏面にそれぞれ少なくとも２個あればよく、固定部材５の表面と裏面の、土台５ｚを挟んで重なり合う位置に同数形成されるものであればよい。
なお、突起は上記のとおり、表面および裏面にそれぞれ少なくとも２個あればよいが、固定部材５は、力のバランスをよくするためには平面を規定する必要があるため、固定部材５の表面および裏面にそれぞれ３つ以上備えるのが望ましい。また、固定部材５が、光学フィルタ４を安定して固定するためには、突起を頂点とした多角形の面積が大きく、軸対象に近い方が望ましい。軸対象に近いとは、どの方向に対しても傾きやすさに偏りがないことをいう。例えば、突起が３つであれば正三角形、４つであれば正四角形に近い形状が望ましい。図３では、一例として、撮像面の周りの４隅に突起５ａ〜５ｈが配置されるようにしている。
【００１９】
光学フィルタ４の固定構造について説明する。
光学フィルタ４は、レンズホルダ３に設けられた挿入部３ａに挿入され、その後、固定部材５が挿入部３ａに挿入され、最後に、挿入部３ａに撮像素子６がはめ込まれて、はめ込まれた撮像素子６が、当該撮像素子６を実装した基板７に設けられた穴を通して螺子８ａ，８ｂでレンズホルダ３に固定される。
このとき、螺子８ａ，８ｂが締められることにより、撮像素子６はレンズホルダ３に近づき、固定部材５が圧縮されて、固定部材５は、光学フィルタ４が接触面３ｄと接触し、基板７がレンズホルダ３の挿入部３ａの上面に当接したときの厚さに規定される。固定部材５が圧縮される際は、突起５ａ〜５ｈも含めて圧縮される。固定部材５の土台５ｚも圧縮されるが、圧縮量の大部分は突起５ａ〜５ｈの部分となる。
固定部材５は、圧縮されることにより反発力を有し、当該反発力によって、光学フィルタ４は、レンズホルダ３の挿入部３ａの接触面３ｄ（図２（ａ）参照）に押し当てられ、固定される。
なお、このとき、基板７とレンズホルダ３は螺子８ａ，８ｂで固定されて、レンズホルダ３と基板７とが密着しており、また、光学フィルタ４は、レンズホルダ３に固定部材５によって押し当てられて密着しているため、埃が入るのを防ぐことができる。
【００２０】
図５は、実施の形態１において、光学フィルタ４を組み付けた状態のカメラユニット１の断面図である。なお、図５（ｂ）は、図５（ａ）の断面図の拡大図である。
図６は、実施の形態１において、光学フィルタ４が固定された際の、固定部材５に設けられた突起５ａ〜５ｈの位置関係を説明する図である。
【００２１】
光学フィルタ４をカメラユニット１に組み付けた状態では、図５に示すように、固定部材５は、光学フィルタ４と撮像素子６とに挟まれ、固定部材５の突起５ａ〜５ｈは、圧縮されて変形している。
また、光学フィルタ４を組み付けた状態で、正面から見ると、図６に示すように、固定部材５の開口部５ｑ、レンズホルダ３の撮像用穴３ｃ（図２（ａ）参照）の外形は、撮像素子６の撮像範囲６ａの外側に位置している。
また、固定部材５の突起５ａ〜５ｂは、レンズホルダ３の撮像用穴３ｃの外側に位置するように形成される。
【００２２】
以上のとおり、固定部材５の複数の突起５ａ〜５ｈを集中的に変形させることにより、図７に示すような全体が圧縮されるように形成された固定部材と比べ、同じ厚みの固定部材でもばね定数をより小さくでき、圧縮時の反発力をより小さくして、光学フィルタ４にかかる力の総量を減少させている。
すなわち、固定部材５の圧縮される部分の面積を小さくすることで、圧縮時の反発力を小さくしている。これは、以下のフックの法則の反発力による。
Ｆ＝（Ａ×Ｅ×ΔＬ）／Ｌ
Ｆ：圧縮力
Ａ：（圧縮部の）断面積
Ｅ：弾性係数
ΔＬ：変形量
Ｌ：圧縮部の変形前の長さ
ここで、Ｅは材料固有のため一定となる。Ｌ、ΔＬを同じ一定とすると、反発力を小さくするためにはＡを小さくする必要がある。すなわち、圧縮部、ここでは、突起５ａ〜５ｂの面積を小さくすると、反発力が小さくなる。
【００２３】
以上のように、実施の形態１によれば、固定部材５の表面および裏面に複数の突起５ａ〜５ｈを設けるようにしたので、光学フィルタ４を固定する力を減少させ、また、安定して光学フィルタ４に力を加えるようにすることができる。これにより、組立時や組立後の光学フィルタの破損を防止することができる。
【００２４】
実施の形態２．
実施の形態１では、突起５ａ〜５ｈは、固定部材５の表面および裏面の両面に形成されるようにしていた。この実施の形態２では、突起５ａ〜５ｄを、固定部材５の片面にのみ形成する実施の形態について説明する。
【００２５】
図８は、この発明の実施の形態２に係る光学フィルタ４の固定部材５の形状の一例を説明する図である。
図８（ａ）は固定部材５の斜視図であり、図８（ｂ）は固定部材５の正面図であり、図８（ｃ）は固定部材５の側面図である。なお、図８（ａ），（ｃ）においてＸで示す方向が正面、すなわち、レンズユニット２の方向である。
図９は、実施の形態２において、光学フィルタ４を組み付けた状態のカメラユニット１の断面図である。なお、図９（ｂ）は、図９（ａ）の断面図の拡大図である。
【００２６】
この実施の形態２に係る固定部材５は、実施の形態１において、図３を用いて説明した固定部材５の突起が形成される場所が異なるのみである。その他の構成については実施の形態１で説明したものと同様であるため、重複した説明を省略する。
また、この実施の形態２に係る光学フィルタ４の固定部材５を備えたカメラユニット１の構成についても、実施の形態１において図１，２で説明したものと同様であるため、重複した説明を省略する。
【００２７】
この実施の形態２においては、図８に示すように、突起５ａ〜５ｄが、固定部材５の片面側にのみ形成される。具体的には、ここでは、突起５ａ〜５ｄが、固定部材５の光学フィルタ４と接する側の面にのみ形成され、反対側の面、すなわち、撮像素子６と接する側の面は平面となっている。
このようにすることで、固定部材５は、撮像素子６と面で接触し（図９参照）、その結果、面で接触される撮像素子６にかかる力が分散されて、ひずみ量をより小さくすることができる。
【００２８】
なお、ここでは、図８，９に示すように、突起５ａ〜５ｄの個数は４個としたが、これに限らず、少なくとも２個あればよい。
また、ここでは、一例として、突起５ａ〜５ｄが、固定部材５の光学フィルタ４と接する側の面にのみ形成されるものとしたが、これに限らず、突起５ａ〜５ｄは、撮像素子６と接する側の面にのみ形成されるようにしてもよく、固定部材５の表面または裏面のいずれか一方の面にのみ形成されるものであればよい。
【００２９】
以上のように、この実施の形態２によれば、固定部材５の複数の突起５ａ〜５ｄを、固定部材５の表面または裏面のいずれか一方の面にのみ設けることによって、面で接触される光学フィルタ４もしくは撮像素子６にかかる力が分散されてひずみ量をより小さくすることができ、組立時や組立後の光学フィルタの破損を防止することができる。
【００３０】
実施の形態３．
実施の形態１では、固定部材５の表面と裏面の突起５ａ〜５ｈは、土台５ｚを挟んで重なり合う位置に同数形成されるようにしていた。この実施の形態３では、固定部材５に形成される突起５ａ〜５ｆが、表面と裏面とで、土台５ｚを挟んで重なり合わない位置に形成される実施の形態について説明する。
【００３１】
図１０は、この発明の実施の形態３に係る光学フィルタ４の固定部材５の形状の一例を説明する図である。
図１０（ａ）は固定部材５の斜視図であり、図１０（ｂ）は固定部材５の正面図であり、図１０（ｃ）は固定部材５の側面図である。なお、図１０（ａ），（ｃ）においてＸで示す方向が正面、すなわち、レンズユニット２の方向である。
【００３２】
この実施の形態３に係る固定部材５は、実施の形態１において、図３を用いて説明した固定部材５の突起が形成される位置が異なるのみである。その他の構成については実施の形態１で説明したものと同様であるため、重複した説明を省略する。
また、この実施の形態３に係る光学フィルタ４の固定部材５を備えたカメラユニット１の構成についても、実施の形態１において図１，２で説明したものと同様であるため、重複した説明を省略する。
【００３３】
この実施の形態３において、突起５ａ〜５ｆは、固定部材５の表面および裏面、すなわち、光学フィルタ４と接する側の面および撮像素子６と接する側の面の両方に形成されており、ここでは、図１０に示すように計６箇所形成されるものとする。
また、固定部材５の表面と裏面の突起５ａ〜５ｆは、土台５ｚを挟んで重なり合わない位置に形成される。
このようにすることで、固定部材５は、圧縮時に突起５ａ〜５ｆだけではなく固定部材５自体が撓むことで、ばね定数がより低くなり、光学フィルタ４にかかる力をより小さくすることができる。
【００３４】
なお、ここでは、図３に示すように、突起５ａ〜５ｆの個数は、固定部材５の片面側に３個ずつの計６個としたが、これに限らず、少なくとも片面側に２個あればよく、固定部材５の表面と裏面の、土台５ｚを挟んで重なり合わない位置に形成されるものであればよい。
【００３５】
以上のように、この実施の形態３によれば、固定部材５の表面および裏面に複数の突起５ａ〜５ｆを設け、突起５ａ〜５ｆが、固定部材５の表面と裏面の、土台５ｚを挟んで重なり合わない位置に形成されるようにしたので、圧縮時に突起５ａ〜５ｆだけではなく固定部材５自体が撓むことで、ばね定数がより低くなり、光学フィルタ４にかかる力をより小さくすることができ、組立時や組立後の光学フィルタの破損を防止することができる。
【００３６】
実施の形態４．
実施の形態１では、突起５ａ〜５ｈは円柱状としていた。この実施の形態４では、突起を貫通する穴を有する突起５ｉ〜５ｐを備える実施の形態について説明する。
【００３７】
図１１は、この発明の実施の形態４に係る光学フィルタ４の固定部材５の形状の一例を説明する図である。
図１１（ａ）は固定部材５の斜視図であり、図１１（ｂ）は固定部材５の正面図であり、図１１（ｃ）は固定部材５の側面図である。なお、図１１（ａ），（ｃ）においてＸで示す方向が正面、すなわち、レンズユニット２の方向である。
【００３８】
この実施の形態４に係る固定部材５は、実施の形態１において、図３を用いて説明した固定部材５とは、突起の形状が異なるのみである。その他の構成については実施の形態１で説明したものと同様であるため、重複した説明を省略する。
また、この実施の形態４に係る光学フィルタ４の固定部材５を備えたカメラユニット１の構成についても、実施の形態１において図１，２で説明したものと同様であるため、重複した説明を省略する。
【００３９】
この実施の形態４においては、固定部材５の表面と裏面に形成される突起５ｉ〜５ｐは、図１１のように、突起５ｉ〜５ｐを貫通する穴を有している。また、土台５ｚを挟んで重なり合う位置に形成された突起５ｉ〜５ｐの穴は、土台５ｚを貫通するように、土台５ｚにも穴が開いている。
このようにすることで、突起５ｉ〜５ｐがより変形しやすくなり、光学フィルタ４にかかる力をより小さくすることができる。
【００４０】
なお、ここでは、一例として、図１１のように、突起５ｉ〜５ｐは、貫通する穴を有することとしたが、これに限らず、突起５ｉ〜５ｐの、光学フィルタ４および撮像素子６と接する先端面に有底の穴を有するようにしていてもよいし、突起内部に中空を有するようにしていてもよく、穴を有することで、突起が変形しやすくなり、光学フィルタ４にかかる力をより小さくすることができるようになっていればよい。
【００４１】
以上のように、この実施の形態４によれば、固定部材５の複数の突起５ｉ〜５ｐを、穴が開いた形状とすることで、突起５ｉ〜５ｐがより変形しやすくなり、光学フィルタ４にかかる力をより小さくすることができ、組立時や組立後の光学フィルタの破損を防止することができる。
【００４２】
実施の形態５．
実施の形態１では、固定部材５に、光学フィルタ４を固定するための突起５ａ〜５ｈを備えるようにしていた。この実施の形態５では、固定部材５に加え、カメラユニット１のレンズホルダ３にも、光学フィルタ４を固定するための突起３ｅ〜３ｈを備えるようにする実施の形態について説明する。
【００４３】
図１２は、この発明の実施の形態５のレンズホルダ３の構成を説明する図である。
図１２に示すように、レンズホルダ３において、光学フィルタ４が格納される挿入部３ａの、光学フィルタ４との接触面３ｄには、突起３ｅ〜３ｈが形成されている。
それ以外は、実施の形態１で図１，２を用いて説明したカメラユニット１の構成と同様であるため、重複した説明を省略する。
また、固定部材５の構成についても、実施の形態１で図３を用いて説明した構成と同様であるため、重複した説明を省略する。
【００４４】
図１３は、実施の形態５において、光学フィルタ４を組み付けた状態のカメラユニット１の断面図である。
図１３に示すように、突起３ｅ〜３ｈは、固定部材５の突起５ａ〜５ｄが光学フィルタ４をレンズホルダ３に押し当てられる位置と光学フィルタ４を挟んで向かい合う位置に、突起５ａ〜５ｄと同数形成されている。すなわち、突起３ｅ〜３ｈと突起５ａ〜５ｄとで、光学フィルタ４を挟み込んでいる。
【００４５】
一般的に、面積が広くなればなるほど平面度を出すことが難しくなる。
レンズホルダ３に突起３ｅ〜３ｈがない場合とある場合のレンズホルダ３と光学フィルタ４との接触面の面積の大きさを比較すると、突起３ｅ〜３ｈがない場合は、レンズホルダ３と光学フィルタ４とは接触面３ｄで接触することとなり、突起３ｅ〜３ｈの先端部で光学フィルタ４と接触する場合と比べ、光学フィルタ４と接する面積が大きくなる。
従って、レンズホルダ３に突起３ｅ〜３ｈがない場合の方が、突起３ｅ〜３ｈがある場合より、平面度を出すことが難しくなり、接触面３ｄの平面度は低くなる。
【００４６】
平面度の低いものに押し付けられると、その形状に沿って光学フィルタ４は撓むため、レンズホルダ３に突起３ｅ〜３ｈがなく、レンズホルダ３の光学フィルタ４との接触面３ｄの平面度が低い場合、固定部材５によって光学フィルタ４がレンズホルダ３に押し当てられる際に、光学フィルタ４との接触面３ｄの形状に沿って光学フィルタ４が曲がり、光学フィルタ４の破損もしくは光学的性能の劣化を生じる可能性がある。
【００４７】
これに対し、この実施の形態５では、上述のとおり、レンズホルダ３に突起３ｅ〜３ｈを形成することで、レンズホルダ３の光学フィルタ４と接触する箇所は突起３ｅ〜３ｈの先端部のみとしたので、突起３ｅ〜３ｈの先端部の平面度も出しやすくなり、突起３ｅ〜３ｈの先端部のみ平面度を高くするだけで光学フィルタ４を変形させることなく固定することができる。なお、固定部材５は変形するため、光学フィルタ４の形状を規定するのは、光学フィルタ４が固定部材５によって押し当てられる固定部材５の面となる。
【００４８】
以上のように、この実施の形態５によれば、レンズホルダ３に突起３ｅ〜３ｈを形成し、レンズホルダ３の光学フィルタ４に接触する箇所は突起３ｅ〜３ｈの先端部のみとしたので、突起３ｅ〜３ｈの先端部のみ平面度を高くするだけで光学フィルタ４を変形させることなく固定することができる。
【００４９】
なお、本願発明はその発明の範囲内において、各実施の形態の自由な組み合わせ、あるいは各実施の形態の任意の構成要素の変形、もしくは各実施の形態において任意の構成要素の省略が可能である。
例えば、実施の形態２，３に実施の形態４を適用し、実施の形態２，３の突起５ａ〜５ｄ、５ａ〜５ｆをそれぞれ、中空構造としてもよい。
また、例えば、実施の形態２〜４に実施の形態５を適用し、実施の形態２〜４の固定部材５を備えるカメラユニット１のレンズホルダ３に、固定部材５の突起５ａ〜５ｄ、５ａ〜５ｆ、５ｉ〜５ｐが光学フィルタ４をレンズホルダ３に押し当てる位置と光学フィルタ４を挟んで向かい合う位置に、突起５ａ〜５ｄ、５ａ〜５ｆ、５ｉ〜５ｐと同数の突起を形成するようにしてもよい。
【符号の説明】
【００５０】
１  カメラユニット、２  レンズユニット、３  レンズホルダ、３ａ  挿入部、３ｂ  レンズ固定部、３ｃ  撮像用穴、３ｄ  接触面、３ｅ，３ｆ，３ｇ，３ｈ，５ａ，５ｂ，５ｃ，５ｄ，５ｅ，５ｆ，５ｇ，５ｈ  突起、３ｉ  螺子穴、４  光学フィルタ、５  固定部材、５ｉ，５ｊ，５ｋ，５ｌ，５ｍ，５ｎ，５ｏ，５ｐ  穴付き突起、５ｑ  開口部、５ｒ，５ｓ，５ｔ，５ｕ，５ｖ，５ｗ，５ｘ，５ｙ  円錐形突起、５ｚ  土台、６  撮像素子、６ａ  撮像範囲、７  基板、８ａ，８ｂ  螺子。
【図１】
2016144075.tif 000003
【図２】
2016144075.tif 000004
【図３】
2016144075.tif 000005
【図４】
2016144075.tif 000006
【図５】
2016144075.tif 000007
【図６】
2016144075.tif 000008
【図７】
2016144075.tif 000009
【図８】
2016144075.tif 000010
【図９】
2016144075.tif 000011
【図１０】
2016144075.tif 000012
【図１１】
2016144075.tif 000013
【図１２】
2016144075.tif 000014
【図１３】
2016144075.tif 000015